(57)【要約】      （修正有）【課題】アクセサリー作成用の画像データを作成する。【解決手段】ユーザ端末２００は、記録媒体に記録された画像データを読み出す画像読み出し手段と、ユーザからの指示に基づいて、読み出された画像データをアクセサリーの作成に用いるアクセサリー作成用の画像データとして使用するためのトリミング範囲を決定するトリミング範囲決定手段と、決定されたトリミング範囲内の画像を抽出して、アクセサリー作成用の画像データを作成するアクセサリー用画像データ作成手段と、作成されたアクセサリー作成用の画像データを通信回線を介して画像データ記録装置３００へ送信する画像データ送信手段とを備え、画像データ記録装置３００は、画像データを受信する画像データ受信手段と、画像データ記録手段とを備え、画像出力装置１００は、アクセサリー作成用の画像データを取得する画像データ取得手段と、画像データの印刷を指示する印刷指示手段とを備える。【選択図】図１
2015082704.tif 000002
【特許請求の範囲】
【請求項１】
ユーザが操作するユーザ端末と、前記ユーザ端末から受信した画像データを記録する画像データ記録装置と、前記画像データ記録装置から取得した前記画像データを印刷装置へ出力して画像の印刷を指示する画像出力装置とを備えたアクセサリー用画像作成システムであって、
前記ユーザ端末は、
記録媒体に記録された画像データを読み出す画像読み出し手段と、
ユーザからの指示に基づいて、前記画像読み出し手段によって読み出された前記画像データをアクセサリーの作成に用いるアクセサリー作成用の画像データとして使用するためのトリミング範囲を決定するトリミング範囲決定手段と、
前記トリミング範囲決定手段によって決定された前記トリミング範囲内の画像を抽出して、前記アクセサリー作成用の画像データを作成するアクセサリー用画像データ作成手段と、
前記アクセサリー用画像データ作成手段によって作成された前記アクセサリー作成用の画像データを通信回線を介して前記画像データ記録装置へ送信する画像データ送信手段とを備え、
前記画像データ記録装置は、
前記ユーザ端末から前記アクセサリー作成用の画像データを受信する画像データ受信手段と、
前記画像データ受信手段によって受信された前記アクセサリー作成用の画像データを記録装置に記録する画像データ記録手段とを備え、
前記画像出力装置は、
通信回線を介して、前記画像データ記録装置から前記アクセサリー作成用の画像データを取得する画像データ取得手段と、
前記画像データ取得手段によって取得された前記アクセサリー作成用の画像データを前記印刷装置へ出力して印刷を指示する印刷指示手段とを備えることを特徴とするアクセサリー用画像作成システム。
【請求項２】
請求項１に記載のアクセサリー用画像作成システムにおいて、
前記記録媒体に記録された前記画像データには、前記画像データを撮像した撮像装置によって画像の撮影場所を特定するための位置情報が記録されており、
前記ユーザ端末は、
トリミング元となった画像データに記録されている前記位置情報に基づいて撮影場所を特定する撮影場所特定手段をさらに備え、
前記アクセサリー用画像データ作成手段は、抽出した前記トリミング範囲内の画像に、前記撮影場所特定手段によって特定された撮影場所を示す情報を合成して、前記アクセサリー作成用の画像データを作成することを特徴とするアクセサリー用画像作成システム。
【請求項３】
請求項２に記載のアクセサリー用画像作成システムにおいて、
前記記録媒体に記録された前記画像データには、前記画像データを撮像した撮像装置によって画像の撮影日時を特定するための日時情報が記録されており、
前記ユーザ端末は、
トリミング元となった画像データに記録されている前記日時情報に基づいて撮影日時を特定する撮影日時特定手段をさらに備え、
前記アクセサリー用画像データ作成手段は、抽出した前記トリミング範囲内の画像に、前記撮影日時特定手段によって特定された撮影日時を示す情報を合成して、前記アクセサリー作成用の画像データを作成することを特徴とするアクセサリー用画像作成システム。
【請求項４】
請求項３に記載のアクセサリー用画像作成システムにおいて、
前記ユーザ端末は、
前記撮影場所特定手段によって特定された撮影場所と、前記撮影日時特定手段によって特定された撮影日時とに基づいて、撮影場所の撮影時刻における天気を特定する天気特定手段をさらに備え、
前記アクセサリー用画像データ作成手段は、抽出した前記トリミング範囲内の画像に、前記天気特定手段によって特定された前記撮影場所の撮影時刻における天気を示す情報を合成して、前記アクセサリー作成用の画像データを作成することを特徴とするアクセサリー用画像作成システム。
【請求項５】
請求項１〜４のいずれか一項に記載のアクセサリー用画像作成システムにおいて、
前記トリミング範囲決定手段は、作成する画像の形状に応じたトリミング範囲を示す領域を前記画像読み出し手段によって読み出された前記画像データ上に設定し、設定した領域に基づいて前記トリミング範囲を決定することを特徴とするアクセサリー用画像作成システム。
【請求項６】
請求項１〜５のいずれか一項に記載のアクセサリー用画像作成システムにおいて、
前記ユーザ端末は、
前記アクセサリー用画像データ作成手段によって作成された前記アクセサリー作成用の画像データをプレビュー表示するプレビュー表示手段をさらに備えることを特徴とするアクセサリー用画像作成システム。
【請求項７】
請求項１〜６のいずれか一項に記載のアクセサリー用画像作成システムにおいて、
前記画像データ記録装置は、
前記画像データ受信手段によって前記アクセサリー作成用の画像データが受信されたときに、前記ユーザ端末に対する受付ＩＤを発行する受付ＩＤ発行手段をさらに備え、
前記画像データ記録手段は、前記画像データ受信手段によって受信された前記アクセサリー作成用の画像データと、前記受付ＩＤ発行手段によって発行された前記受付ＩＤとを関連付けて前記記録装置に記録することを特徴とするアクセサリー用画像作成システム。
【請求項８】
請求項７に記載のアクセサリー用画像作成システムにおいて、
前記画像データ記録装置は、
前記受付ＩＤ発行手段によって発行された前記受付ＩＤを前記ユーザ端末へ送信する受付ＩＤ送信手段をさらに備えることを特徴とするアクセサリー用画像作成システム。
【請求項９】
ユーザからの指示に基づいて、画像データをアクセサリーの作成に用いるアクセサリー作成用の画像データとして使用するためのトリミング範囲を決定するトリミング範囲決定手段と、
前記トリミング範囲決定手段によって決定された前記トリミング範囲内の画像を抽出して、前記アクセサリー作成用の画像データを作成するアクセサリー用画像データ作成手段と、
前記アクセサリー用画像データ作成手段によって作成された前記アクセサリー作成用の画像データを印刷装置へ出力して印刷を指示する印刷指示手段とを備えることを特徴とするアクセサリー用画像作成システム。
【請求項１０】
請求項９に記載のアクセサリー用画像作成システムにおいて、
前記画像データには、前記画像データを撮像した撮像装置によって画像の撮影場所を特定するための位置情報が記録されており、
トリミング元となった画像データに記録されている前記位置情報に基づいて撮影場所を特定する撮影場所特定手段をさらに備え、
前記アクセサリー用画像データ作成手段は、抽出した前記トリミング範囲内の画像に、前記撮影場所特定手段によって特定された撮影場所を示す情報を合成して、前記アクセサリー作成用の画像データを作成することを特徴とするアクセサリー用画像作成システム。
【請求項１１】
請求項１０に記載のアクセサリー用画像作成システムにおいて、
前記画像データには、前記画像データを撮像した撮像装置によって画像の撮影日時を特定するための日時情報が記録されており、
トリミング元となった画像データに記録されている前記日時情報に基づいて撮影日時を特定する撮影日時特定手段をさらに備え、
前記アクセサリー用画像データ作成手段は、抽出した前記トリミング範囲内の画像に、前記撮影日時特定手段によって特定された撮影日時を示す情報を合成して、前記アクセサリー作成用の画像データを作成することを特徴とするアクセサリー用画像作成システム。
【請求項１２】
請求項１１に記載のアクセサリー用画像作成システムにおいて、
前記撮影場所特定手段によって特定された撮影場所と、前記撮影日時特定手段によって特定された撮影日時とに基づいて、撮影場所の撮影時刻における天気を特定する天気特定手段をさらに備え、
前記アクセサリー用画像データ作成手段は、抽出した前記トリミング範囲内の画像に、前記天気特定手段によって特定された前記撮影場所の撮影時刻における天気を示す情報を合成して、前記アクセサリー作成用の画像データを作成することを特徴とするアクセサリー用画像作成システム。
【請求項１３】
請求項９〜１２のいずれか一項に記載のアクセサリー用画像作成システムにおいて、
前記トリミング範囲決定手段は、作成する画像の形状に応じたトリミング範囲を示す領域を前記画像読み出し手段によって読み出された前記画像データ上に設定し、設定した領域に基づいて前記トリミング範囲を決定することを特徴とするアクセサリー用画像作成システム。
【請求項１４】
請求項９〜１３のいずれか一項に記載のアクセサリー用画像作成システムにおいて、
前記アクセサリー用画像データ作成手段によって作成された前記アクセサリー作成用の画像データをプレビュー表示するプレビュー表示手段をさらに備えることを特徴とするアクセサリー用画像作成システム。
【発明の詳細な説明】
【技術分野】
【０００１】
本発明は、アクセサリー用画像作成システムに関する。
【背景技術】
【０００２】
次のようなフォトサービスシステムが知られている。このフォトサービスシステムは、デジタル画像情報を該撮影位置情報と共にプリンタへ出力し、プリントされた撮影位置情報に基づいて、地図データベースを参照して表示装置上に撮影位置を地図表示する（例えば、特許文献１）。
【先行技術文献】
【特許文献】
【０００３】
【特許文献１】特開２００２−２２９１１７号公報
【発明の概要】
【発明が解決しようとする課題】
【０００４】
しかしながら、従来のフォトサービスシステムでは、デジタル画像のプリントを目的とするものであった。このため、プリントした画像を用いてアクセサリーを作成するに当たり、アクセサリー作成用の画像データを作成するための方法については、何ら検討がされていなかった。
【課題を解決するための手段】
【０００５】
本発明によるアクセサリー用画像作成システムは、ユーザが操作するユーザ端末と、ユーザ端末から受信した画像データを記録する画像データ記録装置と、画像データ記録装置から取得した画像データを印刷装置へ出力して画像の印刷を指示する画像出力装置とを備え、ユーザ端末は、記録媒体に記録された画像データを読み出す画像読み出し手段と、ユーザからの指示に基づいて、画像読み出し手段によって読み出された画像データをアクセサリーの作成に用いるアクセサリー作成用の画像データとして使用するためのトリミング範囲を決定するトリミング範囲決定手段と、トリミング範囲決定手段によって決定されたトリミング範囲内の画像を抽出して、アクセサリー作成用の画像データを作成するアクセサリー用画像データ作成手段と、アクセサリー用画像データ作成手段によって作成されたアクセサリー作成用の画像データを通信回線を介して画像データ記録装置へ送信する画像データ送信手段とを備え、画像データ記録装置は、ユーザ端末からアクセサリー作成用の画像データを受信する画像データ受信手段と、画像データ受信手段によって受信されたアクセサリー作成用の画像データを記録装置に記録する画像データ記録手段とを備え、画像出力装置は、通信回線を介して、画像データ記録装置からアクセサリー作成用の画像データを取得する画像データ取得手段と、画像データ取得手段によって取得されたアクセサリー作成用の画像データを印刷装置へ出力して印刷を指示する印刷指示手段とを備えることを特徴とする。
本発明によるアクセサリー用画像作成システムはまた、ユーザからの指示に基づいて、画像データをアクセサリーの作成に用いるアクセサリー作成用の画像データとして使用するためのトリミング範囲を決定するトリミング範囲決定手段と、トリミング範囲決定手段によって決定されたトリミング範囲内の画像を抽出して、アクセサリー作成用の画像データを作成するアクセサリー用画像データ作成手段と、アクセサリー用画像データ作成手段によって作成されたアクセサリー作成用の画像データを印刷装置へ出力して印刷を指示する印刷指示手段とを備えることを特徴とする。
【発明の効果】
【０００６】
本発明によれば、画像内からアクセサリーを作成するために必要な範囲の画像をトリミングして、アクセサリー作成用の画像データを容易に作成することができる。
【図面の簡単な説明】
【０００７】
【図１】アクセサリー用画像作成システム１０の一実施の形態の構成を示すブロック図である。
【図２】画像出力装置１００の一実施の形態の構成を示すブロック図である。
【図３】ユーザ端末２００の一実施の形態の構成を示すブロック図である。
【図４】画像記録装置３００の一実施の形態の構成を示すブロック図である。
【図５】画像編集画面の例を模式的に示した図である。
【図６】ユーザ端末２００によって実行される処理の流れを示すフローチャート図である。
【図７】画像記録装置３００によって実行される処理の流れを示すフローチャート図である。
【図８】画像出力装置１００によって実行される処理の流れを示すフローチャート図である。
【発明を実施するための形態】
【０００８】
図１は、本実施の形態におけるアクセサリー用画像作成システム１０の一実施の形態の構成を示すブロック図である。アクセサリー用画像作成システム１０は、画像出力装置１００と、ユーザ端末２００と、画像記録装置３００とで構成される。画像出力装置１００は、アクセサリを作成するために用いるアクセサリ用画像の作成者が操作する装置であって、例えば、サーバ装置やパソコン等の情報処理装置が用いられる。ユーザ端末２００は、アクセサリの作成を希望するユーザが所持する端末であって、例えばスマートフォン、タブレット端末、パソコン等の情報端末が用いられる。画像記録装置３００は、アクセサリ用画像を記録するための装置であって、例えば、サーバ装置やパソコン等の情報処理装置が用いられる。
【０００９】
本実施の形態では、画像出力装置１００と画像記録装置３００、およびユーザ端末２００と画像記録装置３００は、例えばインターネットや携帯電話網等の通信回線を介してそれぞれ接続される。なお、図１では、アクセサリー用画像作成システム１０は、画像出力装置１００とユーザ端末２００と画像記録装置３００とがそれぞれ１台ずつで構成される例を示しているがアクセサリー用画像作成システム１０の構成はこれに限定されない。
【００１０】
また、本実施の形態では、缶バッジ、キーホルダー、携帯電話用ストラップ、ピンズ、手鏡、マグネット画鋲、マグネットクリップ等の種々のアクセサリーを作成する場合を想定する。各アクセサリーには、画像を印刷した用紙を取り付けて加工することができ、本実施の形態におけるアクセサリー用画像作成システム１０は、各アクセサリーに取り付ける画像を作成して出力するために利用される。これにより、画像を印字したキーホルダー、画像を印字した携帯電話用ストラップ、画像を印字したピンズ、画像を印字した手鏡、画像を印字したマグネット画鋲、画像を印字したマグネットクリップ等の種々のアクセサリーが作成可能となる。
【００１１】
本実施の形態では、各種アクセサリーのうち、缶バッジを作成するために用いる缶バッジ作成用の画像データを作成する例について説明する。缶バッジ以外のアクセサリーを作成するために用いるアクセサリー作成用の画像データを作成する場合には、以下に説明する処理と同様の処理を行って、各アクセサリーに適した大きさや形状の画像をトリミングして画像データを作成するようにすればよい。
【００１２】
なお、缶バッジとは、一般的には、金属製のバッジで中が空洞になっているものを指す。本実施の形態では、画像出力装置１００によって用紙に印刷された缶バッジ作成用画像を、缶バッジの大きさ及び形状に合わせてカットするための缶バッチカットマシンでカットする。そして、カットした画像を金属製の缶バッチ用部材にセットしてプレス加工することにより、表面に画像がプリントされた缶バッジを作成することができる。ここで用いる缶バッジ作成用画像を作成するための処理については、後述する。
【００１３】
図２は、本実施の形態における画像出力装置１００としてパソコンを用いた場合の一実施の形態の構成を示すブロック図である。画像出力装置１００は、操作部材１０１と、接続ＩＦ（インターフェース）１０２と、制御装置１０３と、記録装置１０４と、表示装置１０５とを備えている。
【００１４】
操作部材１０１は、画像出力装置１００の操作者によって操作される種々の装置、例えばキーボードやマウスを含む。
【００１５】
接続ＩＦ１０２は、画像出力装置１００を外部機器や通信回線に接続するためのインターフェースを含む。本実施の形態では、画像出力装置１００は、この接続ＩＦ１０２を介して画像記録装置３００と接続される。また、この接続ＩＦ１０２を介して外部のプリンタと接続され、画像データの印刷を行うことができる。
【００１６】
制御装置１０３は、ＣＰＵ、メモリ、およびその他の周辺回路によって構成され、画像出力装置１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。
【００１７】
記録装置１０４は、画像出力装置１００が蓄える種々のデータや、制御装置１０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置１０４に記録されるプログラムのデータは、ＣＤ−ＲＯＭやＤＶＤ−ＲＯＭなどの記録媒体に記録されて提供されたり、ネットワークを介して提供され、使用者が取得したプログラムのデータを記録装置１０４にインストールすることによって、制御装置１０３がプログラムを実行できるようになる。
【００１８】
表示装置１０５は、例えば液晶モニタであって、制御装置１０３から出力される種々の表示用データが表示される。
【００１９】
図３は、本実施の形態におけるユーザ端末２００としてスマートフォンを用いた場合の一実施の形態の構成を示すブロック図である。ユーザ端末２００は、タッチパネル２０１と、通信モジュール２０２と、マイク２０３と、制御装置２０４と、スピーカー２０５とを備えている。
【００２０】
タッチパネル２０１は、液晶パネル等の表示装置とタッチパッドのような位置入力装置を組み合わせた電子部品であり、画面上の表示を押すことで機器を操作することができる入力装置である。例えば、ユーザ端末２００のユーザは、液晶パネル上に表示されたボタンやメニュー等の表示項目を指やタッチペンを用いてタッチまたはスライドさせることにより、ユーザ端末２００を操作することができる。タッチパネル２０１は、ユーザによるタッチやスライドといった操作を検出して、その検出信号を制御装置２０４へ出力する。
【００２１】
通信モジュール２０２は、無線または有線により、ＬＡＮや携帯電話通信網を介してインターネットに接続するためのモジュールが用いられる。ユーザ端末２００は、この通信モジュール２０２を介して画像記録装置３００と通信を行う。
【００２２】
マイク２０３は、ユーザによる発話音声を入力するための集音装置である。マイク２０３から入力されたアナログデータは、制御装置２０４でデジタル信号に変換される。
【００２３】
制御装置２０４は、ＣＰＵ、メモリ、およびその他の周辺回路によって構成され、ユーザ端末２００の全体を制御する。なお、制御装置２０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、ユーザ端末２００を動作させるためのファームウェアや種々のアプリケーションを動作させるためのソフトウェアのプログラムデータが記録される。
【００２４】
スピーカー２０５は、音声を出力するための出力装置である。制御装置２０４は、他のユーザから着信があった場合の音声データや、不揮発性メモリに記録されている音声データをスピーカー２０５を介して出力する。
【００２５】
図４は、本実施の形態における画像記録装置３００としてサーバ装置を用いた場合の一実施の形態の構成を示すブロック図である。画像記録装置３００は、操作部材３０１と、接続ＩＦ（インターフェース）３０２と、制御装置３０３と、記録装置３０４とを備えている。
【００２６】
操作部材３０１は、画像記録装置３００の操作者によって操作される種々の装置、例えばキーボードやマウスを含む。
【００２７】
接続ＩＦ３０２は、画像記録装置３００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、画像記録装置３００は、この接続ＩＦ３０２を介して画像出力装置１００やユーザ端末２００と接続される。
【００２８】
制御装置３０３は、ＣＰＵ、メモリ、およびその他の周辺回路によって構成され、画像記録装置３００の全体を制御する。なお、制御装置３０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ３０２を介して読み込まれたデータは、バッファメモリに一時的に記録される。
【００２９】
記録装置３０４は、画像記録装置３００が蓄える種々のデータや、制御装置３０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置３０４に記録されるプログラムのデータは、ＣＤ−ＲＯＭやＤＶＤ−ＲＯＭなどの記録媒体に記録されて提供されたり、ネットワークを介して提供され、使用者が取得したプログラムのデータを記録装置３０４にインストールすることによって、制御装置３０３がプログラムを実行できるようになる。
【００３０】
本実施の形態におけるアクセサリー用画像作成システム１０は、缶バッジの作成を希望するユーザがユーザ端末２００を操作して、缶バッジの作成に用いる画像の画像データを画像記録装置３００にアップロードしておく。画像出力装置１００の操作者は、画像記録装置３００に記録されている画像データをダウンロードにより取得して、プリンタから出力することにより、アクセサリー作成用画像を印刷する。以下、各装置における処理の詳細について説明する。
【００３１】
ユーザは、ユーザ端末２００上でウェブサイト閲覧用のブラウザを起動させ、画像記録装置３００上で開設されている画像アップロード用サイトへアクセスするためのＵＲＬを入力する。画像アップロード用サイトへアクセスするためのＵＲＬは、ユーザがタッチパネル２０１を操作して入力してもよいし、ユーザ端末２００が二次元バーコードを読み取る機能を備えている場合には、ＵＲＬをコード化した二次元バーコードを読み込むことによって入力してもよい。
【００３２】
制御装置２０４は、ユーザによって入力されたＵＲＬに基づいて画像アップロード用サイトへアクセスする。これにより、タッチパネル２０１には、図５に示すような画像編集画面が表示される。画像編集画面には、画像表示領域５ａと、拡大ボタン５ｂと、縮小ボタン５ｃと、缶バッジサイズ選択ボタン５ｄおよび５ｅと、撮影地関連情報追加ボタン５ｆと、印刷確認ボタン５ｇとが配置されている。なお、画像編集画面の画面レイアウトは、図５に示したものに限定されるものではない。
【００３３】
ユーザは、タッチパネル２０１上で画像表示領域５ａにタッチすることにより画像の選択を指示することができる。制御装置２０４は、ユーザによって画像表示領域５ａ内がタッチされたことを検出した場合には、メモリに記録されている画像データを一覧表示して、ユーザによる画像データの選択を受け付ける。制御装置２０４は、ユーザによって画像データが選択されると、選択された画像データをメモリから読み出して、画像表示領域５ａ内に画像を表示する。なお、メモリに記録されている画像データは、デジタルカメラ等の他の撮像装置により作成されて取り込まれた画像データでもよいし、ユーザ端末２００が撮影機能を備えている場合には、該撮影機能を用いて取得された画像データでもよい。
【００３４】
画像表示領域５ａ内には、缶バッジを作成するためにトリミングを行う範囲を示す領域（以下、「トリミング領域」と呼ぶ）５ｈが表示されている。ユーザは、画像表示領域５ａ内に表示された画像内における缶バッジを作成するために切り抜きたい範囲がトリミング領域５ｈ内に収まるように、トリミング領域５ｈをドラッグして移動させることができる。
【００３５】
なお、トリミング領域５ｈは、作成する缶バッジの形状に応じた領域が設定されるものとする。本実施の形態では、円形の缶バッジを作成することを想定し、トリミング領域５ｈとして円形の領域を設定している。
【００３６】
ユーザは、缶バッジサイズ選択ボタン５ｄまたは５ｅにタッチすることにより、作成する缶バッジのサイズを選択することができる。本実施の形態では、缶バッジのサイズとして、３２ｍｍと４４ｍｍの２つの直径が用意され、ユーザは、缶バッジサイズ選択ボタン５ｄにタッチすることにより直径３２ｍｍの缶バッジを選択することができ、缶バッジサイズ選択ボタン５ｅにタッチすることにより直径４４ｍｍの缶バッジを選択することができる。なお、３２ｍｍ、４４ｍｍという缶バッジの直径は一例であり、これに限定されるものではない。
【００３７】
制御装置２０４は、ユーザによって缶バッジサイズ選択ボタン５ｄがタッチされた場合には、作成する缶バッジの直径を３２ｍｍに設定する。また、制御装置２０４は、ユーザによって缶バッジサイズ選択ボタン５ｅがタッチされた場合には、作成する缶バッジの直径を４４ｍｍに設定する。
【００３８】
ユーザは、拡大ボタン５ｂや縮小ボタン５ｃにタッチすることにより、トリミング領域５ｈに含める被写体の大きさを調整することができる。具体的には、ユーザは、拡大ボタン５ｂにタッチすることにより、画像表示領域５ａ内に表示された画像の拡大を指示することができる。また、ユーザは、縮小ボタン５ｃにタッチすることにより、画像表示領域５ａ内に表示された画像の縮小を指示することができる。
【００３９】
制御装置２０４は、ユーザによって画像の拡大が指示された場合には、画像表示領域５ａ内に表示した画像をあらかじめ設定された所定の拡大率、例えば１０％だけ拡大して表示する。また、制御装置２０４は、ユーザによって画像の縮小が指示された場合には、画像表示領域５ａ内に表示した画像をあらかじめ設定された所定の縮小率、例えば１０％だけ縮小して表示する。なお、ユーザが拡大ボタン５ｂに１回タッチするごとの拡大率、およびユーザが縮小ボタン５ｃに１回タッチするごとの縮小率は、あらかじめ設定されているものとし、例示した１０％に限定されるものではない。
【００４０】
また、ユーザは、撮影地関連情報追加ボタン５ｆにタッチすることにより、トリミング領域５ｈに表示された画像に、トリミング領域５ｈ内に表示されている画像の撮影場所に関連する情報を合成するように指示することができる。本実施の形態では、メモリに記録されている画像データには、画像の撮影場所を特定するための位置情報が記録されている。例えば、撮影に用いた機器は、ＧＰＳを利用した撮影地点の特定機能、および特定した撮影地点に関する位置情報を画像データに関連付けて記録する機能を備えているものとする。例えば、画像データが一般的なＥＸＩＦ形式の画像データである場合には、ＥＸＩＦ情報にＧＰＳ情報が記録されている。
【００４１】
制御装置２０４は、ユーザによって撮影地関連情報追加ボタン５ｆがタッチされた場合には、画像表示領域５ａ内に表示されている画像の画像データに記録されている位置情報に基づいて画像の撮影場所を特定する。そして、制御装置２０４は、特定した撮影場所を示す情報をトリミング領域５ｈ内に表示されている画像内のあらかじめ設定された表示位置に合成して表示する。
【００４２】
また、メモリに記録されている画像データには、画像データの撮影日時を特定するための日時情報も記録されており、制御装置２０４は、特定した撮影場所を示す情報を合成する際には、トリミング領域５ｈ内に表示されている画像内のあらかじめ設定された表示位置に、画像データに基づいて特定した画像の撮影日時を示す情報を合成して表示する。
【００４３】
さらに、制御装置２０４は、上述した処理で特定した撮影場所と撮影日時とに基づいて、撮影場所の撮影時刻における天気を特定する。例えば、制御装置２０４は、通信モジュール２０２を介して天気情報を提供する外部サーバへ接続し、撮影場所の撮影時刻における天気情報を取得することにより特定する。そして、制御装置２０４は、上記の撮影場所を示す情報と撮影日時を示す情報とともに、特定した天気を示す情報をトリミング領域５ｈ内に表示されている画像内のあらかじめ設定された表示位置に合成して表示する。
【００４４】
これらの処理により、例えば、画像データに記録されている位置情報が東京タワーの位置を示す位置情報であり、撮影日時が２０１３年９月２８日１２：００、その時刻における東京タワーの天気が晴れである場合には、制御装置２０４は、トリミング領域５ｈ内に表示されている画像の所定位置に「２０１３年９月２８日（金）  晴れ  東京タワー」の文字を合成して表示する。
【００４５】
ユーザは、上述した操作によってトリミング領域５ｈ内で缶バッジに印字したい画像を編集した後に、印刷確認ボタン５ｇにタッチして、缶バッジを作成するための画像をプレビュー表示させて確認することができる。
【００４６】
制御装置２０４は、ユーザによって印刷確認ボタン５ｇがタッチされたことを検出した場合には、画像表示領域５ａ内に表示した画像内からトリミング領域５ｈ内の画像を抽出して缶バッジ作成用の画像データを作成し、作成した缶バッジ作成用の画像データを不図示のプレビュー画面上に表示する。これによって、ユーザは、プレビュー画面上で缶バッジの作成のためにトリミングされる範囲内の画像を確認することができ、最終的に完成する缶バッジデザインのイメージを把握することができる。
【００４７】
ユーザは、プレビュー画面上で缶バッジ作成用の画像データを確認した後に、プレビュー画面上に表示されている作成ボタンをクリックすることにより、缶バッジ作成用の画像データを用いた缶バッジの作成を指示することができる。
【００４８】
制御装置２０４は、ユーザによって作成ボタンがクリックされた場合には、トリミング領域５ｈ内の画像をトリミングして作成した缶バッジ作成用の画像データと、上述した処理で設定した缶バッジの直径を示すサイズ情報とを関連付けて、通信モジュール２０２を介して画像記録装置３００に送信する。
【００４９】
画像記録装置３００では、制御装置３０３は、ユーザ端末２００から缶バッジ作成用の画像データとサイズ情報とを受信すると、受信した缶バッジ作成用の画像データを用いた缶バッジの作成依頼を受け付け、一意に特定可能な受付ＩＤを発行する。制御装置３０３は、発行した受付ＩＤと、ユーザ端末２００から受信した缶バッジ作成用の画像データとサイズ情報とを関連付けた缶バッジ作成依頼情報を記録装置３０４に記録する。また、制御装置３０３は、発行した受付ＩＤをユーザ端末２００へ送信する。
【００５０】
ユーザ端末２００では、制御装置２０４は、画像記録装置３００から受信した受付ＩＤをタッチパネル２０１に表示して、ユーザに通知する。この受付ＩＤにより、ユーザによる缶バッジの作成依頼が特定され、ユーザは、ユーザ端末２００からアップロードされた缶バッジ作成用の画像データを用いて作成された缶バッジを受け取ることが可能となる。
【００５１】
次に、画像出力装置１００を用いた缶バッジ画像の印刷処理について説明する。本実施の形態では、記録装置１０４に缶バッジ画像を印刷するためのソフトウェア（以下、「缶バッジ画像印刷用ソフトウェア」と呼ぶ）が記録されており、ユーザは、操作部材１０１を操作して、缶バッジ画像印刷用ソフトウェアの実行を指示することができる。制御装置１０３は、ユーザによって缶バッジ画像印刷用ソフトウェアの実行が指示されると、缶バッジ画像印刷用ソフトウェアを起動して、以下に説明する処理を実行する。
【００５２】
制御装置１０３は、まず、操作者によるログインを受け付ける。操作者には、あらかじめログイン用の操作者ＩＤとパスワードが発行されており、発行済みの操作者ＩＤとパスワードの組は、認証用情報として記録装置１０４に記録されている。制御装置１０３は、表示装置１０５に操作者ＩＤとパスワードを入力するためのログイン画面を表示し、該ログイン画面上で操作者によって入力された操作者ＩＤとパスワードの組が、記録装置１０４に記録されている認証用情報の中に存在するか否かを判定することにより、操作者の認証を行う。
【００５３】
その結果、ログイン画面上で操作者によって入力された操作者ＩＤとパスワードの組が、記録装置１０４に記録されている認証用情報の中に存在すると判定した場合には、操作者による缶バッジ画像印刷用ソフトウェアの利用を許可して、以下に説明する処理を継続する。一方、ログイン画面上で操作者によって入力された操作者ＩＤとパスワードの組が、記録装置１０４に記録されている認証用情報の中に存在しないと判定した場合には、操作者による缶バッジ画像印刷用ソフトウェアの利用を禁止し、処理を終了する。
【００５４】
制御装置１０３は、ログイン処理の結果、操作者による缶バッジ画像印刷用ソフトウェアの利用を許可した場合は、画像記録装置３００へアクセスして、記録装置３０４に記録されている缶バッジ作成依頼情報を取得し、取得した缶バッジ作成依頼情報に含まれる受付ＩＤと缶バッジ作成用の画像データとを関連付けて表示した画像選択画面を表示装置１０５に表示する。このとき記録装置３０４に缶バッジ作成依頼情報が複数記録されている場合には、制御装置１０３は、それら複数の缶バッジ作成依頼情報を取得し、画像選択画面には、例えば、受付ＩＤと缶バッジ作成用の画像データのサムネイル画像を一覧表示する。
【００５５】
操作者は、画像選択画面上に一覧表示された缶バッジ作成用の画像データの中から、印刷対象とするデータを選択した後、確認ボタンをクリックする。制御装置１０３は、操作者によって確認ボタンがクリックされた場合には、画像選択画面で印刷対象として選択された缶バッジ作成用の画像データを一覧表示した確認画面を表示装置１０５に表示する。
【００５６】
操作者は、確認画面上で印刷対象の缶バッジ作成用の画像データを確認した後に、確認画面上に表示されている印刷ボタンをクリックすることにより、画像の印刷を指示することができる。
【００５７】
制御装置１０３は、操作者によって印刷ボタンがクリックされた場合には、確認画面上に表示した缶バッジ作成用の画像データを、接続ＩＦ１０２を介して接続されているプリンタへ出力して、印刷を指示する。このとき、制御装置１０３は、缶バッジ作成用の画像データの画像サイズを、缶バッジ作成依頼情報に含まれるサイズ情報に基づいて特定される缶バッジの直径に応じたサイズに合わせた後にプリンタへ出力する。これにより、プリンタから缶バッジ作成用の画像データを印字した缶バッジの作成素材となる画像が出力される。ここで印字される画像は、上述したように、トリミング領域５ｈ内をトリミングした画像をユーザによって指定された缶バッジの直径に合わせてサイズ調整した画像であるため、操作者は、この画像の形状に合わせて用紙をカットすれば、これを缶バッジ用部材にセットして、缶バッジを作成することができる。
【００５８】
図６は、本実施の形態におけるユーザ端末２００によって実行される処理の流れを示すフローチャートである。図６に示す処理は、ユーザによって、ウェブサイト閲覧用のブラウザ起動上で画像アップロード用サイトへアクセスするためのＵＲＬが入力されると起動するプログラムとして、制御装置２０４によって実行される。
【００５９】
ステップＳ１０において、制御装置２０４は、図５に示した画像編集画面をタッチパネル２０１に表示する。その後、ステップＳ２０へ進む。
【００６０】
ステップＳ２０では、制御装置２０４は、ユーザによって画像表示領域５ａ内がタッチされることにより表示した画像データの一覧の中から、いずれか一つの画像データが選択されたか否かを判断する。ステップＳ２０で肯定判断した場合には、ステップＳ３０へ進む。
【００６１】
ステップＳ３０では、制御装置２０４は、ユーザによって選択された画像データをメモリから読み出して、画像表示領域５ａ内に画像を表示する。その後、ステップＳ４０へ進む。
【００６２】
ステップＳ４０では、制御装置２０４は、ユーザによってトリミング領域５ｈがドラッグされることにより、画像表示領域５ａ内でのトリミング領域５ｈの移動が指示されたか否かを判断する。ステップＳ４０で否定判断した場合には、ステップＳ６０へ進む。これに対して、ステップＳ４０で肯定判断した場合には、ステップＳ５０へ進む。
【００６３】
ステップＳ５０では、制御装置２０４は、ユーザのドラッグ操作に応じて画像表示領域５ａ内でトリミング領域５ｈを移動させる。その後、ステップＳ６０へ進む。
【００６４】
ステップＳ６０では、制御装置２０４は、ユーザによって缶バッジサイズ選択ボタン５ｄまたは５ｅがタッチされることにより、缶バッジサイズの変更が指示されたか否かを判断する。ステップＳ６０で否定判断した場合には、ステップＳ８０へ進む。これに対して、ステップＳ６０で肯定判断した場合には、ステップＳ７０へ進む。
【００６５】
ステップＳ７０では、制御装置２０４は、上述したように、缶バッジサイズ選択ボタン５ｄまた５ｅのうち、ユーザによってタッチされたボタンに応じて缶バッジの直径を設定する。その後、ステップＳ８０へ進む。
【００６６】
ステップＳ８０では、制御装置２０４は、ユーザによって拡大ボタン５ｂや縮小ボタン５ｃがタッチされることにより、画像表示領域５ａ内に表示した画像の拡大または縮小が指示されたか否かを判断する。ステップＳ８０で否定判断した場合には、ステップＳ１００へ進む。これに対して、ステップＳ８０で肯定判断した場合には、ステップＳ９０へ進む。
【００６７】
ステップＳ９０では、制御装置２０４は、ユーザによる指示に基づいて、画像表示領域５ａ内に表示した画像を拡大または縮小して画像サイズを変更する。その後、ステップＳ１００へ進む。
【００６８】
ステップＳ１００では、制御装置２０４は、ユーザによって撮影地関連情報追加ボタン５ｆがタッチされることにより、トリミング領域５ｈ内に表示されている画像への撮影地関連情報の合成が指示されたか否かを判断する。ステップＳ１００で否定判断した場合には、ステップＳ１２０へ進む。これに対して、ステップＳ１００で肯定判断した場合には、ステップＳ１１０へ進む。
【００６９】
ステップＳ１１０では、制御装置２０４は、上述したように、画像表示領域５ａ内に表示されている画像の画像データに記録されている位置情報や日時情報に基づいて、画像の撮影場所、撮影日時、撮影場所の撮影時刻における天気を特定し、特定した情報をトリミング領域５ｈ内に表示されている画像内のあらかじめ設定された表示位置に合成して表示する。その後、ステップＳ１２０へ進む。
【００７０】
ステップＳ１２０では、制御装置２０４は、ユーザによって印刷確認ボタン５ｇがクリックされることにより、画像のプレビュー表示が指示されたか否かを判断する。ステップＳ１２０で否定判断した場合には、ステップＳ４０へ戻る。これに対して、ステップＳ１２０で肯定判断した場合には、ステップＳ１３０へ進む。
【００７１】
ステップＳ１３０では、制御装置２０４は、画像表示領域５ａ内に表示した画像内からトリミング領域５ｈ内の画像を抽出して缶バッジ作成用の画像データを作成する。その後、ステップＳ１４０へ進む。
【００７２】
ステップＳ１４０では、制御装置２０４は、ステップＳ１３０で作成した缶バッジ作成用の画像データを不図示のプレビュー画面上に表示する。その後、ステップＳ１５０へ進む。
【００７３】
ステップＳ１５０では、制御装置２０４は、ユーザによってプレビュー画面上で作成ボタンがクリックされることにより、缶バッジの作成依頼が指示されたか否かを判断する。ステップＳ１５０で肯定判断した場合には、ステップＳ１６０へ進む。
【００７４】
ステップＳ１６０では、制御装置２０４は、ステップＳ１３０で作成した缶バッジ作成用の画像データと、ステップＳ７０で設定した缶バッジの直径を示すサイズ情報とを関連付けて、通信モジュール２０２を介して画像記録装置３００に送信する。その後、ステップＳ１７０へ進む。
【００７５】
ステップＳ１７０では、制御装置２０４は、画像記録装置３００から上述した受付ＩＤを受信したか否かを判断する。ステップＳ１７０で肯定判断した場合には、ステップＳ１８０へ進む。
【００７６】
ステップＳ１８０では、制御装置２０４は、画像記録装置３００から受信した受付ＩＤをタッチパネル２０１に表示して、ユーザに通知する。その後、処理を終了する。
【００７７】
図７は、本実施の形態における画像記録装置３００によって実行される処理の流れを示すフローチャートである。図７に示す処理は、ユーザ端末２００から缶バッジ作成用の画像データとサイズ情報とを受信すると起動するプログラムとして、制御装置３０３によって実行される。
【００７８】
ステップＳ２１０において、制御装置３０３は、上述した受付ＩＤを発行する。その後、ステップＳ２２０へ進む。
【００７９】
ステップＳ２２０では、制御装置３０３は、発行した受付ＩＤと、ユーザ端末２００から受信した缶バッジ作成用の画像データとサイズ情報とを関連付けた缶バッジ作成依頼情報を記録装置３０４に記録する。その後、ステップＳ２３０へ進む。
【００８０】
ステップＳ２３０では、制御装置３０３は、発行した受付ＩＤをユーザ端末２００へ送信する。その後、処理を終了する。
【００８１】
図８は、本実施の形態における画像出力装置１００によって実行される処理の流れを示すフローチャートである。図８に示す処理は、ユーザによって缶バッジ画像印刷用ソフトウェアの実行が指示されて、上述したログイン処理の結果、ユーザによる缶バッジ画像印刷用ソフトウェアの利用を許可した場合に起動するプログラムとして、制御装置１０３によって実行される。
【００８２】
ステップＳ３１０において、制御装置１０３は、画像記録装置３００へアクセスして、記録装置３０４に記録されている缶バッジ作成依頼情報を取得する。その後、ステップＳ３２０へ進む。
【００８３】
ステップＳ３２０では、制御装置１０３は、ステップＳ３１０で取得した缶バッジ作成依頼情報に含まれる受付ＩＤと缶バッジ作成用の画像データを関連付けて表示した画像選択画面を表示装置１０５に表示する。その後、ステップＳ３３０へ進む。
【００８４】
ステップＳ３３０では、制御装置１０３は、操作者によって、画像選択画面上に一覧表示された缶バッジ作成用の画像データの中から、印刷対象とするデータが選択され、確認ボタンがクリックされることにより、画像の確認が指示されたか否かを判断する。ステップＳ３３０で肯定判断した場合には、ステップＳ３４０へ進む。
【００８５】
ステップＳ３４０では、制御装置１０３は、画像選択画面で印刷対象として選択された缶バッジ作成用の画像データを一覧表示した確認画面を表示装置１０５に表示する。その後、ステップＳ３５０へ進む。
【００８６】
ステップＳ３５０では、制御装置１０３は、操作者によって、確認画面上に表示されている印刷ボタンがクリックされることにより、缶バッジ作成用画像の印刷が指示されたか否かを判断する。ステップＳ３５０で肯定判断した場合には、ステップＳ３６０へ進む。
【００８７】
ステップＳ３６０では、制御装置１０３は、操作者によって印刷対象として選択された缶バッジ作成用の画像データの画像サイズを、缶バッジ作成依頼情報に含まれるサイズ情報に基づいて特定される缶バッジの直径に応じたサイズに合わせるために画像サイズの調整、例えば拡大や縮小を行う。その後、ステップＳ３７０へ進む。
【００８８】
ステップＳ３７０では、制御装置１０３は、ステップＳ３６０で画像サイズを調整した後の缶バッジ作成用の画像データを接続ＩＦ１０２を介して接続されているプリンタへ出力する。その後、処理を終了する。
【００８９】
以上説明した本実施の形態によれば、以下のような作用効果を得ることができる。
（１）ユーザ端末２００において、制御装置２０４は、メモリに記録された画像データを読み出し、ユーザからの指示に基づいて、読み出した画像データを缶バッジ作成用の画像データとして使用するためのトリミング範囲を決定し、決定したトリミング範囲内の画像を抽出して、缶バッジ作成用の画像データを作成し、作成した缶バッジ作成用の画像データを通信回線を介して画像データ記録装置３００へ送信するようにした。画像データ記録装置３００では、制御装置３０３は、ユーザ端末２００から受信した缶バッジ作成用の画像データを記録装置３０４に記録するようにした。そして、画像出力装置１００では、制御装置１０３は、通信回線を介して、画像データ記録装置３００から缶バッジ作成用の画像データを取得して、プリンタへ出力するようにした。これによって、ユーザは、ユーザ端末２００上で、画像内から缶バッジを作成するために必要な範囲の画像をトリミングして、缶バッジ作成用の画像データを容易に作成することができ、作成した缶バッジ作成用の画像データを用いた缶バッジの作成を簡易な操作で依頼することができる。
【００９０】
（２）缶バッジ作成用の画像データの元になる画像データには、画像データを撮像した撮像装置によって画像の撮影場所を特定するための位置情報が記録されており、制御装置２０４は、トリミング元となった画像データに記録されている位置情報に基づいて撮影場所を特定し、トリミング領域５ｈによって特定されるトリミング範囲内の画像に、特定した撮影場所を示す情報を合成して、缶バッジ作成用の画像データを作成するようにした。これによって、ユーザは、撮影場所の情報を印字した画像を用いて缶バッジを作成することが可能となる。
【００９１】
（３）缶バッジ作成用の画像データの元になる画像データには、画像データを撮像した撮像装置によって画像の撮影日時を特定するための日時情報が記録されており、制御装置２０４は、トリミング元となった画像データに記録されている日時情報に基づいて撮影日時を特定し、トリミング領域５ｈによって特定されるトリミング範囲内の画像に、特定した撮影日時を示す情報を合成して、缶バッジ作成用の画像データを作成するようにした。これによって、ユーザは、撮影日時の情報を印字した画像を用いて缶バッジを作成することが可能となる。
【００９２】
（４）制御装置２０４は、撮影場所と撮影日時とに基づいて、撮影場所の撮影時刻における天気を特定し、トリミング領域５ｈによって特定されるトリミング範囲内の画像に、特定した撮影場所の撮影時刻における天気を示す情報を合成して、缶バッジ作成用の画像データを作成するようにした。これによって、ユーザは、撮影場所の撮影時刻における天気を印字した画像を用いて缶バッジを作成することが可能となる。
【００９３】
（５）制御装置２０４は、作成する画像の形状に応じたトリミング範囲を示すトリミング領域５ｈを画像表示領域５ａ内に表示した画像上に表示して、該画像上でユーザによるトリミング範囲の位置指定を受け付けてトリミング範囲を決定するようにした。これによって、ユーザは、画像上に表示されたトリミング領域５ｈを移動させるだけで、容易にトリミング範囲を指定することができる。
【００９４】
（６）制御装置２０４は、ユーザからの指示に基づいて、缶バッジ作成用の画像データをプレビュー表示するようにした。これによって、ユーザは、印刷を行う前に作成した缶バッジ作成用の画像データを確認することができる。
【００９５】
（７）画像データ記録装置３００では、制御装置３０３は、ユーザ端末２００から缶バッジ作成用の画像データを受信すると、受信した缶バッジ作成用の画像データを用いた缶バッジの作成依頼を受け付け、一意に特定可能な受付ＩＤを発行するようにした。そして、制御装置３０３は、発行した受付ＩＤと、ユーザ端末２００から受信した缶バッジ作成用の画像データとを関連付けて記録装置３０４に記録するようにした。これによって、ユーザ端末２００から受信した缶バッジ作成用の画像データを受付ＩＤを用いて一意に特定することが可能となる。
【００９６】
（８）また、制御装置３０３は、発行した受付ＩＤをユーザ端末２００へ送信するようにした。これによって、ユーザは、自身が行った缶バッジの作成依頼に対する受付ＩＤを把握することができ、画像出力装置３００による処理によって出力された画像データに基づいて作成された缶バッジを受け取る際に、受付ＩＤにより自身の依頼に基づいて作成された缶バッジを特定することができる。
【００９７】
―変形例―
なお、上述した実施の形態のアクセサリー用画像作成システムは、以下のように変形することもできる。
（１）上述した実施の形態では、制御装置２０４は、ユーザによって撮影地関連情報追加ボタン５ｆがクリックされた場合には、トリミング領域５ｈ内に表示されている画像内のあらかじめ設定された表示位置に撮影場所を示す情報、撮影日時を示す情報、および撮影場所の撮影時刻における天気を示す情報を合成して表示する例について説明した。しかしながら、制御装置２０４は、撮影場所を示す情報、撮影日時を示す情報、および撮影場所の撮影時刻における天気を示す情報のうち、少なくとも１つの情報を表示するようにすればよい。このとき、どの情報を表示するかは、あらかじめ設定されていてもよいし、ユーザが任意に指定できるようにしてもよい。
【００９８】
（２）上述した実施の形態では、制御装置２０４は、ユーザによって印刷確認ボタン５ｇがクリックされたことを検出した場合には、画像表示領域５ａ内に表示した画像内からトリミング領域５ｈ内の画像を抽出して缶バッジ作成用の画像データを作成し、作成した缶バッジ作成用の画像データを不図示のプレビュー画面上に表示する例について説明した。この場合、ユーザは、複数パターンの缶バッジ作成用の画像データを作成してメモリに記録しておき、それらをまとめてプレビュー表示するように指示ができるようにしてもよい。この場合は、制御装置２０４は、プレビュー画面上に、メモリに記録されている複数パターンの缶バッジ作成用の画像データを一覧表示すればよく、その中から作成が指示された画像データのみを画像記録装置３００へ送信するようにすればよい。
【００９９】
（３）上述した実施の形態では、ユーザは、画像表示領域５ａ内に表示された画像内における缶バッジを作成するために切り抜きたい範囲がトリミング領域５ｈ内に収まるように、トリミング領域５ｈをドラッグして移動させる例について説明した。しかしながら、トリミング領域５ｈの表示位置は、画像表示領域５ａ内の所定位置、例えば中央位置に固定し、ユーザは、画像表示領域５ａ内に表示された画像をドラッグして移動させることにより、缶バッジを作成するために切り抜きたい範囲がトリミング領域５ｈ内に収まるように調整するようにしてもよい。
【０１００】
（４）上述した実施の形態では、制御装置２０４は、ユーザによって缶バッジサイズ選択ボタン５ｄがタッチされた場合には、作成する缶バッジの直径を３２ｍｍに設定し、ユーザによって缶バッジサイズ選択ボタン５ｅがタッチされた場合には、作成する缶バッジの直径を４４ｍｍに設定するようにした。そして、制御装置２０４は、ユーザによってプレビュー画面上で作成ボタンがクリックされた場合に、缶バッジ作成用の画像データと、缶バッジの直径を示すサイズ情報とを関連付けて画像記録装置３００に送信することにより、ユーザによって選択されたサイズの缶バッジ画像が作成される例について説明した。しかしながら、制御装置２０４は、ユーザによって缶バッジサイズ選択ボタン５ｄがタッチされた場合には、作成する缶バッジの直径を３２ｍｍに設定するとともに、トリミング領域５ｈを、直径３２ｍｍの缶バッジを作成するために必要な画像サイズに合わせて表示するようにしてもよい。また。制御装置２０４は、ユーザによって缶バッジサイズ選択ボタン５ｅがタッチされた場合には、作成する缶バッジの直径を４４ｍｍに設定するとともに、トリミング領域５ｈを、直径４４ｍｍの缶バッジを作成するために必要な画像サイズに合わせて表示するようにしてもよい。
【０１０１】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【０１０２】
１０  アクセサリー用画像作成システム
１００  画像出力装置
１０１  操作部材
１０２  接続ＩＦ
１０３  制御装置
１０４  記録装置
１０５  表示装置
２００  ユーザ端末
２０１  タッチパネル
２０２  通信モジュール
２０３  マイク
２０４  制御装置
２０５  スピーカー
３００  画像記録装置
３０１  操作部材
３０２  接続ＩＦ
３０３  制御装置
３０４  記録装置
【図１】
2015082704.tif 000003
【図２】
2015082704.tif 000004
【図３】
2015082704.tif 000005
【図４】
2015082704.tif 000006
【図５】
2015082704.tif 000007
【図６】
2015082704.tif 000008
【図７】
2015082704.tif 000009
【図８】
2015082704.tif 000010